(57)【特許請求の範囲】
【請求項１】
コンセントから供給される交流電源に、２巻線ラッチング型リレーのリセット接点を介して押圧時のみ閉成状態になる電源スイッチと前記リレーのセットコイルとを直列に接続するとともに、上記交流電源に前記リレーのセット接点を介して制御回路と負荷を並列に接続し、前記制御回路からの信号によって開閉するスイッチング手段と前記リレーのリセットコイルとを前記交流電源に直列に設け、前記リレーセット接点における前記電源スイッチの開閉に応じた電圧を検出し、検出した電圧を前記制御回路に供給する電圧検出手段を設けたことを特徴とする洗濯機。
【請求項２】
コンセントから供給される交流電源に、１巻線ラッチング型リレーのリセット接点を介して一方向に電流を流す第１の整流手段と押圧時のみ閉成状態になる電源スイッチと前記リレーのコイルとを直列に接続し、前記リレーのコイルと並列にコンデンサを設け、前記交流電源に前記リレーのセット接点を介して、制御回路と負荷を並列に接続し、前記電源スイッチと前記リレーのコイルとの接続点と前記リレーのコモン接点との間に前記制御回路からの信号によって開閉するスイッチング手段と一方向に電流を流す第２の整流手段を設け、上記第１と第２の整流手段を逆方向に接続し、前記リレーセット接点における前記電源スイッチの開閉に応じた電圧を検出し、検出した電圧を前記制御回路に供給する電圧検出手段を設けたことを特徴とする洗濯機。
【請求項３】
コンセントから供給される交流電源に、２巻線ラッチング型リレーのリセット接点を介して、蓋の開閉時にパルス信号が発生するように設けられた蓋スイッチと前記リレーのセットコイルとを直列に接続するとともに、前記交流電源に前記リレーのセット接点を介して制御回路と負荷を並列に接続し、前記制御回路からの信号によって開閉するスイッチング手段と前記リレーのリセットコイルとを前記リレーのセット接点側で前記交流電源に直列に設け、前記リレーセット接点における前記蓋スイッチの開閉に応じた電圧を検出し、検出した電圧を前記制御回路に供給する電圧検出手段を設けたことを特徴とする洗濯機。
【請求項４】
コンセントから供給される交流電源に、２巻線ラッチング型リレーのリセット接点を介して蓋の開放時に閉成状態になる蓋スイッチとシングルスティブル型リレーのノーマルクローズ接点と前記２巻線ラッチング型リレーのセットコイルとを直列に接続するとともに前記交流電源に、前記２巻線ラッチング型リレーのセット接点を介して制御回路と負荷を並列に接続し、前記制御回路からの信号によって開閉する第１のスイッチング手段と前記２巻線ラッチング型リレーのリセットコイルとを前記２巻線ラッチング型リレーのセット接点側で前記交流電源に直列に設け、前記２巻線ラッチング型リレーのセット接点における前記蓋スイッチの開閉に応じた電圧を検出し、検出した電圧を前記制御回路に供給する電圧検出手段と、前記制御回路からの信号によって開閉する第２のスイッチング手段と、前記シングルスティブル型リレーのコイルの直列回路を前記交流電源に直列に接続したことを特徴とする洗濯機。
【請求項５】
運転が開始されずに一定時間運転の入力操作が行われないとき、制御回路と負荷に電源を供給しているラッチング型リレーを動作させ、制御回路と負荷への電源供給を停止させるタイマー手段を設けたことを特徴とする請求項１乃至４記載の洗濯機。
【請求項６】
電池によって動作し、制御回路の時計機能や設定内容のバックアップを行うバックアップ回路を設け、該バックアップ回路の出力で制御回路と負荷への電源供給を行うラッチング型リレーを制御するようにしたことを特徴とする請求項１乃至５記載の洗濯機。
【請求項７】
洗濯工程中や濯ぎ工程中で排水が開始されると、設定内容や進行工程等のデータや時刻データや排水完了時刻データをバックアップ回路に記憶させ、２巻線ラッチング型リレーを閉成して制御回路と負荷への電源の供給を遮断し、排水完了の予定時刻になると前記バックアップ回路により２巻線ラッチング型リレーを閉成して前記制御回路と負荷に電源を供給し、前記制御回路に設定内容や進行工程等のデータや時刻データを記憶し、洗濯や濯ぎの工程を進行することを特徴とする請求項６記載の洗濯機。
【請求項８】
モーターに設けられたタコジェネレータの起電力を二次電池より成る電池電源に充電する手段を設けたことを特徴とする請求項６および７記載の洗濯機。
【発明の詳細な説明】
【０００１】
【発明の属する技術分野】
本発明は、待機時の電力消費をなくすようにした洗濯機に関するものである。
【０００２】
【従来の技術】
洗濯機の運転終了時に洗濯モーター等の負荷回路への電源を遮断する制御装置として、特許第２５２３７９８号に示すようなものがある。この電源制御回路はコンセントに電源プラグを差すと、制御部に交流電源が接続されて制御部が動作状態になり、その後運転開始指示によりリレー接点が閉成して負荷回路に交流電源が供給される。運転終了時には制御部によりリレー接点が開成して負荷回路への交流電源の供給を遮断するが制御部は電源プラグをコンセントから抜かない限り待機状態に保持される。また上記のリレー接点に代え、メカニカルラッチスイッチを設けたものもある。
【０００３】
【発明が解決しようとする課題】
しかしながら、上記従来の装置によれば運転終了後の待機時においても制御回路の動作を維持するために少量ではあるが電力を消費し続けることになる。近年一般家庭における洗濯機等の家電機器においてもマイクロコンピュータ内蔵のものが増えており、これらの機器は、電源に接続しただけで電力の消費を伴う待機電力が発生し、その合計は増加し続けている。将来、電力の供給不足が生じることを考慮してエネルギーの消費を削減するため、上記のような待機電力をも削減する必要がある。
【０００４】
上記の従来技術においては、メカニカルラッチスイッチを用いた装置も開示されており、このメカニカルラッチスイッチは負荷回路と同時に制御回路への通電も遮断するので待機時の電力消費はなくなるが、メカニカルラッチスイッチを使用者が押してオフ操作を行うと瞬時に負荷回路と同時に制御回路への通電も遮断するので洗濯機が動作中であった場合、例えば乾燥工程中で衣類が高温になっているときに突然負荷回路と制御回路の通電が遮断されると衣類の冷却や使用者への警告が行えない等の問題があった。
本発明は上記の課題に鑑み、洗濯機の待機時における電力消費を無くするようにすることを目的とする。
【０００５】
【課題を解決するための手段】
本発明は上記の目的を達成するため、請求項１の洗濯機はコンセントから供給される交流電源に、２巻線ラッチング型リレーのリセット接点を介して押圧時のみ閉成状態になる電源スイッチと前記リレーのセットコイルとを直列に接続するとともに、上記交流電源に前記リレーのセット接点を介して制御回路と負荷を並列に接続し、前記制御回路からの信号によって開閉するスイッチング手段と前記リレーのリセットコイルとを前記交流電源に直列に設け、前記リレーセット接点における前記電源スイッチの開閉に応じた電圧を検出し、検出した電圧を前記制御回路に供給する電圧検出手段を設けたことを特徴とする。
【０００６】
従って、電源スイッチの押圧で制御回路と負荷に電源を供給し、リレーのセット接点の電圧を電圧検出手段で検出してスイッチング手段を制御し、リレーを自己保持させ、また制御回路からの信号で上記スイッチング手段を開成して、リレーをオフさせ、制御回路と負荷の電源供給を停止できるようにしており、待機時の電力消費をなくすようにしている。
【０００７】
請求項２の洗濯機はコンセントから供給される交流電源に、１巻線ラッチング型リレーのリセット接点を介して一方向に電流を流す第１の整流手段と押圧時のみ閉成状態になる電源スイッチと前記リレーのコイルとを直列に接続し、前記リレーのコイルと並列にコンデンサを設け、前記交流電源に前記リレーのセット接点を介して、制御回路と負荷を並列に接続し、前記電源スイッチと前記リレーのコイルとの接続点と前記リレーのコモン接点との間に前記制御回路からの信号によって開閉するスイッチング手段と一方向に電流を流す第２の整流手段を設け、上記第１と第２の整流手段を逆方向に接続し、前記リレーセット接点における前記電源スイッチの開閉に応じた電圧を検出し、検出した電圧を前記制御回路に供給する電圧検出手段を設けたことを特徴とする。
【０００８】
従って、電源スイッチの押圧で制御回路と負荷に電源を供給し、電圧検出手段でリレーのセット接点の電圧を検出して制御回路に与え、該制御回路でスイッチング手段を閉成しリレーを自己保持させ、負荷を動作状態に保持する。また負荷を停止させるときは、制御回路よりスイッチング手段を開成して、リレーをリセット接点側に切り変え、制御回路への電源供給を同時に遮断し、待機時の電力消費を無くすようにする。
【０００９】
請求項３の洗濯機はコンセントから供給される交流電源に、２巻線ラッチング型リレーのリセット接点を介して、蓋の開閉時にパルス信号が発生するように設けられた蓋スイッチと前記リレーのセットコイルとを直列に接続するとともに、前記交流電源に前記リレーのセット接点を介して制御回路と負荷を並列に接続し、前記制御回路からの信号によって開閉するスイッチング手段と前記リレーのリセットコイルとを前記リレーのセット接点側で前記交流電源に直列に設け、前記リレーセット接点における前記蓋スイッチの開閉に応じた電圧を検出し、検出した電圧を前記制御回路に供給する電圧検出手段を設けたことを特徴とする。
【００１０】
従って、蓋を閉成すると蓋スイッチよりパルス信号が発生し、リレーのリセットコイルによりセット接点が閉じ、負荷および制御回路に電源を接続する。電圧検出手段は、リレーのセット接点の電圧を検出し、この検出信号に基づき制御回路はスイッチング手段を閉成してリレーのセットコイルによりリレーを自己保持させ、負荷を動作状態に保持する。また、負荷を停止させるときは、制御回路よりスイッチング手段を開成して、リレーのセットコイルへの通電を断ち、リレーをリセット接点側に倒し、負荷および制御回路への電源の供給を遮断して待機時の電力消費を無くすようにする。
【００１１】
請求項４の洗濯機はコンセントから供給される交流電源に、２巻線ラッチング型リレーのリセット接点を介して蓋の開放時に閉成状態になる蓋スイッチとシングルスティブル型リレーのノーマルクローズ接点と前記２巻線ラッチング型リレーのセットコイルとを直列に接続するとともに前記交流電源に、前記２巻線ラッチング型リレーのセット接点を介して制御回路と負荷を並列に接続し、前記制御回路からの信号によって開閉する第１のスイッチング手段と前記２巻線ラッチング型リレーのリセットコイルとを前記２巻線ラッチング型リレーのセット接点側で前記交流電源に直列に設け、前記２巻線ラッチング型リレーのセット接点における前記蓋スイッチの開閉に応じた電圧を検出し、検出した電圧を前記制御回路に供給する電圧検出手段と、前記制御回路からの信号によって開閉する第２のスイッチング手段と、前記シングルスティブル型リレーのコイルの直列回路を前記交流電源に直列に接続したことを特徴とする。
【００１２】
従って、電源オフ時の待機状態で、蓋が閉じられている状態から蓋が開けられると、蓋スイッチが閉成状態になり、リレーのセットコイルに通電され、リレーがセットすることで制御回路と負荷に電源が供給される。リレーは２巻線ラッチング型リレーであるのでリレーのセットコイルに流れる電流が停止しても、前記電源供給状態は保持される。その後、蓋が閉じられるか又は開けられた場合、制御回路が蓋スイッチの開成又は閉成されたことを検知し、蓋が開けられた又は閉じられた場合に通常行われている動作を行う。洗濯工程が終了すると、セット接点を閉成状態から開成状態に変化させる。そして制御回路と負荷に供給されていた電源を遮断し、洗濯機を待機状態にする。蓋が閉じられている場合は、制御回路と負荷への電源の供給を遮断する。
【００１３】
請求項５の洗濯機は、請求項１乃至４記載の洗濯機において、運転が開始されずに、一定時間運転入力操作が行われないとき、制御回路と負荷に電源を供給するラッチング型リレーを動作させ、制御回路と負荷への電源供給を停止されるタイマー手段を設けたことを特徴とする。
【００１４】
従ってキー入力等により一定時間洗濯工程の運転入力操作が行われないとこれをタイマー手段が検出し、ラッチング型リレーを駆動し負荷および制御回路への電源の供給を遮断する。これにより洗濯が開始されずに途中で放置された場合でも、電源を切ることができ、待機時の電力消費を無くすることができる。
【００１５】
請求項６の洗濯機は、電池によって作動し制御回路の時計機能や設定内容のバックアップを行うバックアップ回路を設け、該バックアップ回路の出力で制御回路と負荷への電源供給を行うラッチング型リレーを制御するようにしたことを特徴とする。
【００１６】
従って、予約タイマー機能や時刻表示機能を持った洗濯機において、制御回路や負荷の電源供給を停止した場合でも、太陽電池や一次電池や二次電池等の電池電源によって作動するバックアップ回路により、データの一時保存を行わせることができ、タイマー機能や時刻カウント機能を実現することが可能になる。また、負荷および制御回路へ電源を供給するためのラッチング型リレーの起動を電池電源で行わせることができ、待機時の電力消費を無くするようにした洗濯機の始動が簡単になる。
【００１７】
請求項７の洗濯機は、請求項６記載の洗濯機において、洗濯工程中や濯ぎ工程中で排水が開始されると、設定内容や進行工程等のデータや時刻データや排水完了時刻データをバックアップ回路に記憶させ、ラッチング型リレーを開成して制御回路と負荷への電源の供給を遮断し、排水完了の予定時刻になると前記バックアップ回路により、前記ラッチング型リレーを閉成して前記制御回路と負荷に電源を供給し、前記制御回路に、設定内容や進行工程等のデータや時刻データを記憶し、洗濯や濯ぎ工程を進行することを特徴とする。
【００１８】
従って、洗濯工程中や濯ぎ工程中の排水時には、電源が切れるので、運転中の電力消費を少なくすることができる。
【００１９】
請求項８の洗濯機は、請求項６および７記載の洗濯機において、モータに設けられたタコジェネレータの起電力を二次電池より成る電池電源に充電する充電手段を設けたことを特徴とする。
【００２０】
従って、充電手段により、バックアップ回路の電源となる二次電池にモータに設けたタコジェネレータの起電力を充電するので、待機時にバックアップ回路で使用する電力を確保することができる。
【００２１】
【発明の実施の形態】
以下、本発明の請求項１から８に対応する実施形態を図１から図５に基づいて説明する。
【００２２】
（実施形態１）
図１は本発明を全自動洗濯乾燥器に適用した実施形態１の電気回路図である。図１において、家庭用コンセントから供給される交流電源１０には、切換接点を有する２巻線ラッチング型リレー１のコモン接点Ｃとリセット接点Ｒと押圧時のみ閉成状態になる電源スイッチ４と上記リレー１のセットコイル２とを前記の順番に直列に接続する。上記リレー１のセット接点Ｓは制御回路６と負荷７に電源を供給するように接続し、制御回路６からゲート信号が入力されるトライアック５と前記リレー１のリセットコイル３とを直列に交流電源１０に接続し、上記リレー１のセット接点Ｓの電圧から電源スイッチ４の開閉を検出し、検出した信号を制御回路６に入力する電圧検出回路８を設ける。
【００２３】
まず電源オフ時の待機状態は電源スイッチ４が開成状態であり、リレー１がリセットされており、セット接点Ｓが開成状態となって、負荷７と制御回路６への電源の供給は遮断されている。電源スイッチ４が押圧されるとリレー１のセットコイル２に通電され、リレー１がセットすることでリレー１のセット接点Ｓが開成状態から閉成状態に変わり、制御回路６と負荷７に電源が供給される。またリレー１は２巻線ラッチング型リレーであるので電源スイッチ４が押圧された後、開放されてリレー１のセットコイル２に流れる電流が停止しても上記接点の状態は保持される。
【００２４】
上記の状態で再び電源スイッチ４が押圧されると、リレー１のセット接点Ｓの電圧が変化し、電源スイッチ４が押されたことを電圧検出回路が検出しこれを制御回路６に伝える。その結果、制御回路６は、動作中の負荷がある場合は、スイッチング素子９により負荷の動作を停止させる等の処理を行った後、また、動作中の負荷がない場合は直ちにトライアック５をオンさせる信号をトライアック５のゲートに印加し、リレー１のリセットコイル３に通電してリレー１をリセットする。そして、セット接点Ｓを閉成状態から開成状態に変化させ、制御回路６と負荷７に供給されていた電源を停止し、洗濯機を待機状態にする。またリレー１は２巻線ラッチング型リレーであるので制御回路６の電源が停止し、トライアック５のゲート信号が停止し、リレー１のリセットコイル３に流れる電流が停止しても上記接点の状態は保持される。
【００２５】
次に洗濯工程が終了したときは、制御回路６からトライアック５をオンさせる信号がトライアック５のゲートに印加され、リレー１のリセットコイル３に通電される。従って、リレー１がリセットし、セット接点Ｓが閉成状態から開成状態に変化し、制御回路６と負荷７に供給されていた電源が遮断され、洗濯機が待機状態になる。またリレー１は２巻線ラッチング型リレーであるので制御回路６の電源が停止し、トライアック５のゲート信号が停止し、リレー１のリセットコイル３に流れる電流が停止しても上記接点の状態は保持される。
【００２６】
また電源スイッチ４が押圧されて制御回路６と負荷７に電源が供給された後、洗濯、濯ぎ、脱水、乾燥の運転が開始されず、一定時間例えば５分間キー入力操作が行われない場合は、制御回路６内に設けたタイマー回路がこれを検出し、制御回路６からトライアック５をオンさせる信号がトライアック５のゲートに印加される。その結果、リレー１のリセットコイル３に通電されリレー１がリセットし、セット接点Ｓが閉成状態から開成状態に変化し、制御回路６と負荷７に供給されていた電源が遮断され、洗濯機が待機状態になる。
【００２７】
またリレー１は２巻線ラッチング型リレーであるので制御回路６の電源が停止し、トライアック５のゲート信号が停止し、リレー１のリセットコイル３に流れる電流が停止しても上記接点の状態は保持される。
【００２８】
（実施形態２）
図２は、本発明を全自動洗濯乾燥機に適用した実施形態２の電気回路図である。図２において、家庭用コンセントから供給される交流電源２０には、切換接点を有する１巻線ラッチング型リレー１１のコモン接点Ｃとリセット接点Ｒとダイオード２２と押圧時のみ閉成状態になる電源スイッチ１４と上記リレー１１のコイル１２とを前記の順番に直列に接続する。上記リレー１１のコイル１２には、並列にコンデンサ１３を接続し、リレー１１のセット接点Ｓは、制御回路１６と負荷１７に電源を供給するように接続する。
【００２９】
電源スイッチ１４とリレー１１のコイル１２との接続点から、リレー１１のコモン接点Ｃ又はセット接点Ｓとの間に制御回路１６からゲート信号が入力されるトライアック１５と上記ダイオード２１に対して逆方向に接続したダイオード２２を直列に接続し、リレー１１のセット接点Ｓの電圧から電源スイッチ１４の開閉を検出し、検出した信号を制御回路１６に入力する電圧検出回路１８を設ける。
【００３０】
まず電源オフ時の待機状態では、電源スイッチ１４が開成状態であり、リレー１１がリセットされておりセット接点Ｓが開成状態となって、負荷１７と制御回路１６への電源の供給は遮断されている。電源スイッチ１４が押圧されると、リレー１１のコイル１２にセット電流が通電され、リレー１１がセットされることでリレー１１のセット接点Ｓが開成状態から閉成状態に変わり、制御回路１６と負荷１７に電源が供給される。またリレー１１は１巻線ラッチング型リレーであるので、電源スイッチ１４の押圧が解除された後、開成されて、リレー１１のコイル１２に流れるセット電流が停止しても上記接点の状態は保持される。
【００３１】
再び電源スイッチ１４が押圧されると、リレー１１のセット接点Ｓの電圧が変化し、電源スイッチ１４が押されたことを電圧検出回路１８が検出し、これを制御回路１６に伝える。その結果制御回路１６は、動作中の負荷がある場合は、スイッチング素子９で、負荷１７の動作を停止させる等の処理を行った後、また動作中の負荷がない場合は直ちに、制御回路１６からトライアック１５をオンさせる信号をトライアック１５のゲートに印加し、リレー１１のコイル１２にリセット電流を通電して、リレー１１をリセットする。
【００３２】
そして、セット接点Ｓを閉成状態から開成状態に変化させ、制御回路１６と負荷１７への電源の供給を停止し、洗濯機を待機状態にする。また、リレー１１は１巻線ラッチング型リレーであるので制御回路１６の電源が遮断され、トライアック１５のゲート信号が停止し、リレー１１のコイル１２に流れるリセット電流が停止しても上記接点の状態は保持される。
【００３３】
次に洗濯機工程が終了した時は、制御回路１６からトライアック１５をオンさせる信号がトライアック１５のゲートに印加され、リレー１１のコイル１２にリセット電流が通電される。従って、リレー１１が動作し、セット接点Ｓが閉成状態から開成状態に変化し、制御回路１６と負荷１７への電源の供給を停止し、洗濯機を待機状態にする。また、リレー１１は１巻線ラッチング型リレーであるので制御回路１６への電源が停止し、トライアック１５のゲート信号が停止し、リレー１１のコイル１２に流れるリセット電流が停止しても、上記接点の状態は保持される。
【００３４】
（実施形態３）
図３は、発明を全自動洗濯乾燥機に適用した実施形態３の電気回路図である。図３において、家庭用コンセントから供給される交流電源３２には、切換接点を有する２巻線ラッチング型リレー２３のコモン接点Ｃとリセット接点Ｒと蓋の開閉時にパルス信号が発生するように設けられた蓋スイッチ２６と上記リレー２３のセットコイル２４とを前記の順番に直列に接続する。
【００３５】
上記リレー２３のセット接点Ｓは制御回路２８と負荷２９に電源を供給するように接続し、制御回路２８からゲート信号が入力されるトライアック２７とリレー２３のリセットコイル２５とを交流電源３２に直列接続し、リレー２３のセット接点Ｓの電圧から蓋スイッチ２６の開閉を検出し、検出した信号を制御回路２８に入力する電圧検出回路３０を設ける。
【００３６】
まず、電源オフ時の待機状態では、蓋スイッチ２６が開成状態であり、リレー２３がリセットされており接点Ｓが開成状態となって、負荷２９と制御回路２８への電源の供給は遮断されている。蓋が開けられるか閉じられることで蓋スイッチ２６よりパルス信号が発生する。このパルス信号は、リレー２３のセットコイル２４に通電され、リレー２３がセットすることでリレー２３のセット接点Ｓが開成状態から閉成状態に変わり、制御回路２８と負荷２９に電源が供給される。またリレー２３は２巻線ラッチング型リレーであるので、リレー２３のセットコイル２４に流れる電流が停止しても上記接点の状態は保持される。
【００３７】
再び蓋が開けられるか閉じられて蓋スイッチ２６よりパルス信号が発生すると、リレー２３のセット接点Ｓの電圧が変化し、蓋スイッチ２６が押圧されたことを電圧検出回路３０で検出して、この検出信号を制御回路２８に供給する。その結果制御回路２８はトライアック２７のゲート端子に、蓋が閉じた場合はトライアック２７をオフにする信号を与え、蓋が開いた場合はトライアック２７をオンにする信号を与えてリレー２３のリセットコイル２５への通電を制御し、市販されている洗濯機で蓋が開けられた又は閉じられた場合に行われている動作と同じ動作を行う。
【００３８】
次に洗濯工程が終了した時は、制御回路２８からトライアック２７をオンさせる信号がトライアック２７のゲートに印加され、リレー２３のリセットコイル２５に通電される。従って、リレー２３がリセットし、セット接点Ｓが閉成状態から開成状態に変化し、制御回路２８と負荷２９への電源の供給を停止し、洗濯機を待機状態にする。また、リレー２３は２巻線ラッチング型リレーであるので制御回路２８への電源が遮断され、トライアック２７のゲート信号が停止し、リレー２３のリセットコイル２５に流れる電流が停止しても上記の接点の状態は保持される。
【００３９】
図４は本発明を全自動洗濯乾燥機に適用した実施形態４の電気回路図である。図４において、家庭用コンセントから供給される交流電源４２には、切換接点を有する２巻線ラッチング型リレー３３のコモン接点Ｃとリセット接点Ｒと蓋の解放時に閉状態になるように設けられた蓋スイッチ３６と切換接点を有するシングルティブル型リレー４４のコモン接点ＣＣとノーマルクローズ接点ＮＣとリレー３３のセットコイル３４とを前記の順番に直列に接続し、リレー３３のセット接点Ｓは、制御回路３８と負荷３９に電源を供給するように接続し、制御回路３８からゲート信号が入力されるトライアック３７とリレー３３のリセットコイル３５とを上記リレー３３のセット接点３３を介して交流電源４２に直列に接続し、制御回路３８からゲート信号が入力されるトライアック４３と上記リレー４４のコイルとを直列に交流電源４２に接続する。
【００４０】
また、上記トライアック４３とリレー４４との接続点は、リレー４４のノーマルオープン接点ＮＯに接続し、上記リレー３３のセット接点Ｓの電圧から蓋スイッチ３６の開閉を検出し、検出した信号を制御回路３８に入力する電圧検出回路４０を設ける。
【００４１】
まず電源オフ時の待機状態では、蓋が閉じられている場合は、蓋スイッチ３６が開成状態であり、リレー３３がリセットされているのでセット接点Ｓが開成状態となって、負荷３９と制御回路３８への電源の供給は遮断されている。この状態では、制御回路３８からトライアック４３へのゲート入力がないので、リレー４４のコイルには通電されず、リレー４４のノーマルクローズ接点ＮＣは閉成状態である。
【００４２】
蓋が開けられている場合は、蓋スイッチ３６が閉成状態であり、リレー３３のセットコイル３４に通電されるので、上記リレー３３のセット接点Ｓが閉成し、電圧検出回路４０がこれを検出して、制御回路３８によりトライアック４３を導通させる。その結果リレー４４のコイルに通電され、ノーマルクローズ接点ＮＣは開成状態になり、リレー３３がリセットされておりセット接点が開成状態になっている。一度蓋が閉じられることで前記の蓋が閉じられている場合の待機状態と同じになる。
【００４３】
次に蓋が開けられることで蓋スイッチ３６が閉成状態になるとリレー３３のセットコイル３４に通電され、リレー３３がセットすることでリレー３３のセット接点が開成状態から閉成状態に変わり、制御回路３８と負荷３９に電源が供給される。また、リレー３３は２巻線ラッチング型リレーであるのでリレー３３のセットコイル３４に流れる電流が停止しても上記接点の状態は保持される。
【００４４】
その後、蓋が閉じられるか又は開けられた場合、蓋スイッチ３６が開成又は閉成状態になると、リレー３３のセット接点Ｓの電圧が変化し、電圧検出回路４０により制御回路３８が蓋スイッチ３６の開成又は閉成されたことを検知し、市販されている洗濯機で蓋が開けられた又は閉じられた場合に行われている動作と同じ動作を行う。
【００４５】
次に、洗濯工程が終了すると、制御回路３８からトライアック４３をオンさせる信号がトライアック４３のゲートに印加され、リレー４４のコイルに通電し、リレー４４を駆動してノーマルクローズ接点ＮＣを閉成状態から開成状態に変化させる。また、制御回路３８からトライアック３７をオンさせる信号がトライアック３７のゲートに印加され、リレー３３のリセットコイル３５に通電し、セット接点Ｓを閉成状態から開成状態に変化させる。そして制御回路３８と負荷３９に供給されていた電源を遮断し、洗濯機を待機状態にする。
【００４６】
また、蓋が閉じられている場合は、前記のリレー３３がリセットして、制御回路３８と負荷３９への電源の供給を遮断し、リレー４４のコイルへの通電が停止するのでノーマルクローズ接点ＮＣは開成状態から閉成状態に変化する。またリレー３３は２巻線ラッチング型リレーであるので制御回路３８の電源が停止し、トライアック３７のゲート信号が停止し、リレー３３のリセットコイル３５に流れる電流が停止しても上記接点の状態は保持される。
【００４７】
（実施形態５）
図５は、本発明を全自動洗濯乾燥機に適用した場合の、実施形態５の電気回路図であり、図３に対応する部分には同一符号を付し、説明を省略する。図５において、４７は太陽電池４５と二次電池４６によって動作するバックアップ回路であり、制御回路２８の時計機能や設定内容のバックアップを行う。また、本実施形態５においては、バックアップ回路４７の信号で制御される上記リレー２３により、制御回路２８及び負荷２９への電源供給の開始を制御する電源供給開始制御回路と洗濯機のモーターに設けられたタコジェネレータ４８の起電力を二次電池４６に充電する充電回路を設ける。
【００４８】
従って、洗濯工程中や濯ぎ工程中に排水が開始されると、設定内容や進行工程等のデータや時刻データや排水完了時刻データをバックアップ回路４７に記憶させ、制御回路２８と負荷２９に電源を供給している２巻線ラッチング型リレー２３をオフにして電源供給を停止させる。また、上記バックアップ回路４７は、排水完了の予定時刻になると制御回路２８と負荷２９に電源を供給している２巻線ラッチング型リレー２３をオンにして制御回路２８と負荷２９に電源を供給し、制御回路２８に設定内容や進行工程等のデータや時刻データを伝達し、洗濯や濯ぎの工程を進行させる。
【００４９】
【発明の効果】
以上の説明から明かなとおり、本発明は、請求項１によると、安価なスイッチと２巻線ラッチング型リレーを用いて、待機時の電力消費を無くすことができ、請求項２によると、安価なスイッチと１巻線ラッチング型リレーを用いて、待機時の電力消費を無くすことができる。
【００５０】
また請求項３によると、２巻線ラッチング型リレーを用いて、待機時の電力消費を無くすことができると共に電源スイッチを無くすことができ、請求項４によると、安価なスイッチと２巻線ラッチング型リレーを用いて、待機時の電力消費を無くすことができ、同時に電源スイッチを無くすことができる。
【００５１】
更にまた、請求項５によれば操作途中で放置された場合の消費電力を無くすことができ、請求項６によれば予約タイマー機能や時刻表示機能を持った洗濯機において、制御回路や負荷の電源供給を停止しても、電池を電源とするバックアップ回路でタイマー機能や時刻カウント機能を実現することができる。
【００５２】
また、請求項７によれば、洗濯工程中や濯ぎ工程中の排水時に電源を切ることで、運転中の電力消費を少なくすることができ、請求項８によれば、洗濯機のトータル消費電力を少なくすることができる。
【図面の簡単な説明】
【図１】本発明の第１の実施形態の全自動洗濯乾燥機の回路ブロック図である。
【図２】本発明の第２の実施形態の全自動洗濯乾燥機の回路ブロック図である。
【図３】本発明の第３の実施形態の全自動洗濯乾燥機の回路ブロック図である。
【図４】本発明の第４の実施形態の全自動洗濯乾燥機の回路ブロック図である。
【図５】本発明の第５の実施形態の全自動洗濯乾燥機の回路ブロック図である。
【符号の説明】
１、２３、３３                ２巻線ラッチング型リレー
２、２４、３４                ２巻線ラッチング型リレーのセットコイル
３、２５、３５                ２巻線ラッチング型リレーのリセットコイル
４、１４                            電源スイッチ
５、１５、２７、４３                トライアック
６、１６、２８、３８                制御回路
７、１７、２９、３９                負荷
８、１８、３０、４０                電圧検出回路
１０、２０、３２、４２                交流電源
１１                                    １巻線ラッチング型リレー
１３                                    コンデンサ
２１、２２                        ダイオード
２６、３６                        蓋スイッチ
４４                                    シングルスティブル型リレー
４５                                    太陽電池
４６                                    二次電池
４７                                    バックアップ回路
４８                                    タコジェネレータ
【図１】
0003629877.tif 000002
【図２】
0003629877.tif 000003
【図３】
0003629877.tif 000004
【図４】
0003629877.tif 000005
【図５】
0003629877.tif 000006